(57)【要約】【課題】  高い検索性を備え、かつ的確に読者が知りたい情報にアクセス可能な本を提供する。【解決手段】  複数の特性に従って分類可能な複数の記事１２０と、前記記事の各特性に従って検索に用いられる少なくとも１つの検索条件を符号化して表示し当該検索条件を光学的に読み取り複号可能な検索コード１０５，１０７，１０９，１１１，１２４とが掲載されている。前記検索コードは、携帯電話端末７により読み取られて当該検索コードに表示された前記検索条件を管理サーバ２に送信され、管理サーバ２に対応付けて格納されている記事の特性情報及び掲載位置情報に基づいて、検索条件に適合する特性情報を有する記事の掲載位置情報を含む検索結果情報を前記携帯電話端末７に返信するネットワークシステムを利用した検索システム１において、前記記事の掲載位置の検索に用いられる。【選択図】  図９
2005321879.tif 000002
【特許請求の範囲】
【請求項１】
複数の特性に従って分類可能な情報に関する複数の記事（１２０）と、
前記記事の各特性に従って検索に用いられる少なくとも１つの検索条件を符号化して表示し当該検索条件を光学的に読み取り複号可能なコードであって、光学的に読み取りされた当該コードに表示された前記検索条件を復号しかつ前記複号された検索条件を送信可能に構成された携帯端末（７）と、前記携帯端末（７）と通信可能でかつ前記記事の特性を示す特定情報及び掲載位置情報を対応付けて格納し前記携帯端末から送信された検索条件に適合する特性情報を有する記事を検索し当該記事の掲載位置情報を含む検索結果情報を前記携帯端末（７）に返信する管理サーバ（２）とで構成されるネットワークシステムを利用した検索システム（１）において前記記事の掲載位置の検索に用いられる複数の検索コード（１０５，１０７，１０９，１１１，１２４）とを有することを特徴とする本。
【請求項２】
所定の第１の特性（１２２）に従って前記記事（１２０）を分類し、当該分類ごとにまとめて掲載した記事掲載ページ（１２３）と、
前記検索コードを、前記第１の特性とは異なる複数の特性（１０４，１０６，１０８，１１０，１１２）ごとに分類してまとめて掲載した検索コード掲載ページ（１０１）を備えることを特徴とする、請求項１に記載の本。
【請求項３】
所定の第１の特性（１２２）に従って前記記事を分類し当該分類ごとにまとめられた前記記事（１２０）と、前記検索コード（１２４）とを掲載した記事掲載ページ（１２３）を備え、
前記記事掲載ページ（１２３）に掲載されている前記検索コード（１２４）は、前記分類された第１の特性とは異なる他の特性（１２３）ごとにまとめられて掲載されておりかつ当該１の特性を示す検索条件と前記他の特性を示す検索条件とを共に表示していることを特徴とする、請求項１又は２に記載の本。
【請求項４】
前記記事は、前記本の読者に提供可能な商品又はサービスに関する記事であることを特徴とする請求項１から３のいずれか１つに記載の本。
【請求項５】
前記記事は、前記本の読者に提供可能な商品又はサービスの提供者に関する記事であることを特徴とする請求項１から３のいずれか１つに記載の本。
【請求項６】
前記検索コードは２次元コードであることを特徴とする、請求項１から５のいずれか１つに記載の本。
【請求項７】
前記検索コードは、当該検索コードが掲載されている本を特定するための特定情報を前記検索条件と共に符号化して表示することを特徴とする、請求項１から６のいずれか１つに記載の本。
【請求項８】
複数の特性に従って分類可能な情報に関する複数の記事（１２０）と、前記記事の各特性に従って検索に用いられる少なくとも１つの検索条件を符号化して表示し当該検索条件を光学的に読み取り複号可能な検索コードを備える本を用いて当該本に掲載されている記事を検索するための検索システムであって、
光学撮影可能な撮影手段（２８）と、前記撮影手段により撮影された前記検索コードを複号可能な複号手段（２２）と、前記複号手段により復号された検索条件をネットワークを通じて送信可能でありかつ当該ネットワークを通じて特定の情報を受信可能な送受信手段（２６）と、前記ネットワークを通じて受信した情報を表示する表示手段（２１）とを備えた、携帯端末（７）と、
前記携帯端末（７）とネットワークを通じて情報の送受信が可能な管理サーバ（２）とを備え、
前記管理サーバ（２）は、前記本に掲載されている記事の特性情報及び掲載位置情報を対応付けて格納する記事格納手段（１６，１７）と、前記携帯端末から送信された検索条件と前記記事格納手段に格納されている特定情報とを比較して当該検索条件に適合する記事を検索する記事検索手段（１２，１９）と、前記記事検索手段により選択された記事の掲載位置情報を含む検索結果情報を作成し当該携帯端末（７）に送信する検索結果報告手段（１２，１１）とを備えることを特徴とする検索システム。
【発明の詳細な説明】
【技術分野】
【０００１】
本発明は、インターネットなどのネットワークに接続可能な撮影機能つき携帯電話などの携帯端末を利用して、当該携帯端末の利用者に本に掲載されている記事に関する高い検索性を提供することができる本及びそのシステムに関する。
【背景技術】
【０００２】
近年、たとえば飲食店情報雑誌、住宅情報誌、アルバイト情報誌、株価・企業情報誌など、紙媒体に多数の情報を掲載した本が多く市場に出ている。これらの本は、書店などで手軽に購入でき、場所を選ばずに利用することができるという利点がある。
【０００３】
しかし、当該本は紙媒体に印刷されて読者に提供され、多くの需要者に対応することができるように広く情報を集めて掲載しているため、掲載記事の中には、特定の読者に不要な情報まで掲載していることがあり、個々の読者が必要とする目的の記事を検索する必要がある。また、掲載記事の数及び本のページ数が増えると、目的とする掲載記事へのアクセスが困難になるなどの関係で、一つ一つの記事に関する情報を選択して本のページ数を少なくし、記事への検索性を高めるようにしている場合もある。一方で、一つ一つの記事の情報を少なくすると、その記事についてより詳しい情報を入手したいという読者の要請に答えられないというトレードオフの関係がある。
【０００４】
このような背景により一つ一つの記事に関する情報を少なくしているという問題に対応し、特開２００２−１１１９０９号公報（特許文献１）などでは、当該本の記事に２次元コードを付して、当該コードを読者が操作するコンピュータにより読み込み、所定のデータベースにアクセスすることにより当該記事の情報を読者コンピュータに送信するという情報提供サービスが存在する。この情報提供サービスは、本の読者が興味ある記事を見つけた後、当該記事についてより詳細な情報を入手したい場合に、当該記事に一対一に対応した２次元コードを用いて所定のデータベースから情報を入手するものである。
【特許文献１】特開２００２−１１１９０９号公報
【発明の開示】
【発明が解決しようとする課題】
【０００５】
しかし、このようにして得られる詳細な情報は、一般的に情報量が多く、たとえば、携帯電話などの簡易な端末では十分に表示をすることができず、自分の有するパソコンなどを用いて行う必要がある。このため、当該パソコンの前にいなければ情報の入手ができないという問題がある。このようにパソコンを用いて詳細情報を入手することは、場所を選ばず情報入手ができるという紙媒体としての上記利点を損なうこととなる。
【０００６】
また、近年情報が増大し濫立していることに伴い、一冊の本に掲載されている記事の数も増える一方である。通常このような本は、記事へのアクセスの便宜のために目次が付されており、１つの分類特性に従って区分して掲載されているが、当該目次の分類以外の分類特性から見れば、まったくランダムに並んでおり、検索が困難であることが多い。たとえば、グルメ情報雑誌の場合、その本が店の所在地を分類特性として用いている場合、予算別、料理別などにより情報を検索することができないという問題がある。このため、複数の条件に該当する記事を見つけ出すまでには多くの時間を要し、また、該当する記事のすべてを見つけ出すことは困難であるという問題があった。
【０００７】
また、このような本には、本の索引とは別の分類特性に従って記事一覧を示したインデックスを巻末に付したものも見られるが、複数の分類特性を任意に組み合わせた検索（たとえば、予算が５０００円未満の日本料理店などの検索）をすることができず、また、詳細なインデックスを付すと、本の記事以外の付随的なページの数がふえるという問題もある。
【０００８】
したがって、本発明が解決しようとする技術的課題は、高い検索性を備え、かつ的確に読者が知りたい情報にアクセス可能な本及び検索システムを提供することである。
【課題を解決するための手段】
【０００９】
本発明は、上記技術的課題を解決するために、以下の構成の本を提供する。本発明の第１態様によれば、複数の特性に従って分類可能な情報に関する複数の記事と、前記記事の各特性に従って検索に用いられる少なくとも１つの検索条件を符号化して表示し当該検索条件を光学的に読み取り複号可能なコードであって、光学的に読み取りされた当該コードに表示された前記検索条件を復号しかつ前記複号された検索条件を送信可能に構成された携帯端末と、前記携帯端末と通信可能でかつ前記記事の特性を示す特定情報及び掲載位置情報を対応付けて格納し前記携帯端末から送信された検索条件に適合する特性情報を有する記事を検索し当該記事の掲載位置情報を含む検索結果情報を前記携帯端末に返信する管理サーバとで構成されるネットワークシステムを利用した検索システムにおいて前記記事の掲載位置の検索に用いられる検索コードとを有する本を提供する。
【００１０】
本発明の第２態様によれば、所定の第１の特性に従って前記記事を分類し、当該分類ごとにまとめて掲載した記事掲載ページと、
前記検索コードを、前記第１の特性とは異なる複数の特性ごとに分類してまとめて掲載した検索コード掲載ページを備える第１態様の本を提供する。
【００１１】
本発明の第３態様によれば、所定の第１の特性に従って前記記事を分類し当該分類ごとにまとめられた前記記事と、前記検索コードとを掲載した記事掲載ページを備え、
前記記事掲載ページに掲載されている前記検索コードは、前記分類された第１の特性とは異なる他の特性ごとにまとめられて掲載されておりかつ当該１の特性を示す検索条件と前記他の特性を示す検索条件とを共に表示している第１又は第２態様の本を提供する。
【００１２】
本発明の第４態様によれば、前記記事は、前記本の読者に提供可能な商品又はサービスに関する記事である第１から第３態様のいずれか１つの本を提供する。
【００１３】
本発明の第５態様によれば、前記記事は、前記本の読者に提供可能な商品又はサービスの提供者に関する記事である第１から第３態様のいずれか１つの本を提供する。
【００１４】
本発明の第６態様によれば、前記検索コードは２次元コードである、第１から第５態様のいずれか１つの本を提供する。
【００１５】
本発明の第７態様によれば、前記検索コードは、当該検索コードが掲載されている本を特定するための特定情報を前記検索条件と共に符号化して表示する第１から第６態様のいずれか１つの本を提供する。
【００１６】
本発明の第８態様によれば、複数の特性に従って分類可能な情報に関する複数の記事と、前記記事の各特性に従って検索に用いられる少なくとも１つの検索条件を符号化して表示し当該検索条件を光学的に読み取り複号可能な検索コードを備える本を用いて当該本に掲載されている記事を検索するための検索システムであって、
光学撮影可能な撮影手段と、前記撮影手段により撮影された前記検索コードを複号可能な複号手段と、前記複号手段により復号された検索条件をネットワークを通じて送信可能でありかつ当該ネットワークを通じて特定の情報を受信可能な送受信手段と、前記ネットワークを通じて受信した情報を表示する表示手段とを備えた、携帯端末と、
前記携帯端末とネットワークを通じて情報の送受信が可能な管理サーバとを備え、
前記管理サーバは、前記本に掲載されている記事の特性情報及び掲載位置情報を対応付けて格納する記事格納手段と、前記携帯端末から送信された検索条件と前記記事格納手段に格納されている特定情報とを比較して当該検索条件に適合する記事を検索する記事検索手段と、前記記事検索手段により選択された記事の掲載位置情報を含む検索結果情報を作成し当該携帯端末に送信する検索結果報告手段とを備える検索システムを提供する。
【発明の効果】
【００１７】
本発明によれば、検索コードに表示された前記検索条件を復号可能に構成されかつ前記複号された検索条件を送信可能な携帯端末と、携帯端末と通信可能でかつ記事の特性情報及び掲載位置情報を対応付けて格納し、携帯端末から送信された検索条件に適合する特性情報を有する記事を検索してその記事の掲載位置情報を含む検索結果情報を携帯端末に返信する管理サーバとで構成されるネットワークシステムを利用した検索システムにおいて、詳細記事の情報と比較して情報量が少ない記事の掲載ページや掲載欄などの掲載位置の検索に用いられる検索コードを掲載している。したがって、携帯端末を用いて検索条件に合致した記事を確実に検索することができる。また、１つの検索コードは１つの記事に一対一に対応するものではなく、当該記事を分類する場合の特性に応じて分類されているため、当該検索コードを読み取る数を適宜変更することにより、検索条件の程度を変更可能な検索を行うことができる。
【００１８】
また、検索コードは、好ましくは２次元コードなどの記事の各特性に従って検索に用いられる少なくとも１つの検索条件を符号化して表示し検索条件を光学的に読み取り複号可能なものであるため、撮影機能付きの携帯電話を用いることにより、検索のためのアクセス先の情報を入力する手間を大幅に軽減することができる。なお、記事の特性情報としては、当該記事の対象となっている物やサービスの特性を示すものであり、当該特性に基づいて記事を分類することができるものを意味する。たとえば、物やサービスの予算、種類、場所、時間、対象者などの情報が例示できる。
【００１９】
また、検索コードに表示される検索条件は、一つの検索コードについて複数であってもよく、たとえば、本を特定するための本の識別子からなる検索情報と記事を検索するための検索条件とが共に表示されていてもよいし、複数の検索情報（たとえば、予算と店の場所など）がひとつの検索コードに表されていてもよい。このようにひとつの検索コードに複数の検索条件を表示することにより、検索のための手順を少なくし、検索を容易に行うことができる。
【００２０】
記事を所定の第１の特性に従って分類し、当該分類ごとにまとめて掲載した記事掲載ページと、検索コードを前記第１の特性とは異なる複数の特性ごとに分類してまとめて掲載した検索コード掲載ページを備えるように本を構成すれば、当該記事の掲載順序に関係なく、任意の特性ごとに掲載記事を検索することができる。すなわち、当該本の分類とは異なる分類ごとに検索コードを分類して掲載することにより、記事の掲載順序に用いられている特性以外の分類について記事を検索することができる。
【００２１】
また、記事掲載ページにも検索コードが掲載されていてもよく、記事掲載ページに掲載されている検索コードに当該記事掲載ページの分類に用いられた検索条件と他の検索条件とが共に表示されることにより、検索コードの１回の読み取りで当該分類中の記事を検索することができる。
【発明を実施するための最良の形態】
【００２２】
以下、本発明の一実施形態に係る本を用いた検索システムについて、図面を参照しながら説明する。
【００２３】
図１は、本発明の一実施形態に係る本を用いた検索システムの概略構成を示すブロック図である。本検索システム１は、インターネットに接続された管理サーバ２、電話会社サーバ３、出版社端末４及び、当該電話会社サーバと接続された携帯電話基地局６を通してネットワーク５を利用可能な携帯電話端末７とを備える。以下、本実施形態の検索システム１は、一例として飲食店情報誌１００に掲載されている飲食店に関する記事を検索するためのシステムとして説明するが、これに限らず、たとえば、中古車情報誌に掲載されている中古車の検索、株価・企業情報誌に掲載されている会社の情報の検索、住宅情報誌に掲載されている住宅に関する情報の検索などにおいて用いることができる。この検索システムにおいて、どのような本に関する記事を検索するかは、後述するように、検索される記事を分類する特性を異ならせ、当該特性に応じて記事及び当該特性を記憶する管理サーバ２のデータベースの構成を異ならせることにより行われる。
【００２４】
管理サーバ２は、本検索システム１を管理するためのサーバであり、携帯電話端末７から送信された検索条件に従って、出版社端末４から受信した出版物及びその構成内容に関する情報を検索するためのサーバである。
【００２５】
電話会社サーバ３は、携帯電話端末７をネットワーク５において利用できるようにするためのサーバである。電話会社サーバ３は、複数の基地局６と接続されており、当該基地局６と無線交信可能な範囲に存在する携帯電話端末７と接続する。電話会社サーバ３には、基地局の位置情報があらかじめ記憶されており、特定の携帯電話端末がどの基地局と通信がつながっているかの情報を通じて当該携帯電話端末の大まかな位置を把握することができるようになっている。
【００２６】
出版社端末４は、本検索システムの運営者との契約に基づいて、発売された本の掲載内容についての情報を管理サーバ２に送信する。図１においては、出版社端末４は１つしか記載されていないが、本検索システム１を複数の出版社から発行されている各種飲食店情報誌の飲食店に関する情報検索に用いる場合、複数の出版社端末が存在することとなる。出版社端末４から管理サーバ２に送信される掲載内容についての情報は、発売された本を特定する出版物特定情報、記事に掲載されている飲食店を特定するための識別情報及び当該飲食店に関する記事が掲載されているページを含む本のページ構成に関する情報と、当該飲食店に関しあらかじめ本検索システムの運営者から与えられた特性に関して検索に用いられる特性情報と飲食店の場所に関する情報を含む店舗情報である。これらは、後述するように、それぞれ、管理サーバ２に格納され、検索時に用いられる。
【００２７】
次に、管理サーバ２の構成について説明する。管理サーバ２は、インターネット５と接続し各種情報、信号の授受を行うための送受信部１１、当該管理サーバ２の総括的な制御演算を行うためのＣＰＵとしての制御演算部１２、当該制御演算部１２の制御及び演算に用いられるデータ、プログラムを記憶する記憶部１３を備える。記憶部１３は、各種データベースと本検索システムのためのシステムプログラム１９を記憶している。データベースは、図２に示すように、出版物データベース１４、地図データベース１５、店舗データベース１６、記事データベース１７、基地局データベース１８、ユーザーデータベース２０である。
【００２８】
出版物データベース１４は、図３に示すように、本検索システム１において用いられる本に関する情報を格納するデータベースであり、本を特定するための出版物ＩＤ、本の名称、発行に関する情報、出版社などを対応付けて管理する。出版物ＩＤは、本の名称を特定するものであり、本が季刊、月刊などの場合の号数までを区別して管理する構成としていない。本検索システムにおける本の号数に関する識別は、たとえば、出版物ＩＤの後に号数を特定する情報を付加して特定する。
【００２９】
地図データベース１５は、本検索システムにおいて、飲食店や携帯電話端末の位置に関する検索を行うために用いられる地図に関する情報を格納するデータベースである。本データベースは、図４に示すように、地図を識別するためのマップＩＤ、地図名、及び当該地図が表示する経度と緯度の範囲に関する情報が格納されている。なお、地図が複数のエリアに分割されている場合は、各エリアについて経度と緯度の情報を格納する。
【００３０】
店舗データベース１６は、本検索システムにおいて、本に掲載される飲食店に関する情報を格納するデータベースである。店舗データベース１６は、図５に示すように、飲食店ごとに付された店舗ＩＤ、店舗の住所や連絡先など店舗に関する情報、検索に用いる特性情報及び場所を示す経度、緯度の情報が格納されている。特性情報としては、費用、料理、プラン、その他などが例示される。検索に用いる特性情報は、図５では、テキストデータとして入力されているように記載されているが、たとえば、これを符号化して入力してもよい。たとえば、和食を１、フレンチを２などに番号付けして符号化し、この番号をデータベースに格納するようにしてもよい。
【００３１】
記事データベース１７は、各出版社から受信した本のページ構成に関する情報を発行された本別に管理するデータベースである。たとえば、図６に示すように、雑誌○○○の２００４年１月号を前記出版物データベースの出版物ＩＤに号数を特定する枝番を付したＩＤにより本を特定し、当該本のページ構成を示すものである。具体的には、たとえば、雑誌○○○の２００４年１月号の１ページ目には、地図データベースのマップＩＤ２０００４１の地図が掲載されており、３ページ目には、目次と検索ページが掲載されており、４ページ以降から検索対象となる飲食店として店舗ＩＤ、５０００４１、５１０９３２，５２００４５，５２９３８２で特定される４つ店舗に関する記事が掲載されており、このページは、新宿の店の分類により分類されたページであることを示す情報が管理される。本実施形態では、記事データベースは、本のページごとに掲載記事を分類して管理するようにしているが、これをたとえばページ中のどの欄（たとえば、１０ページの上段右側など）に掲載されているかについてまでの情報を管理するようにしてもよい。
【００３２】
ユーザーデータベース２０は、図７に示すように、ユーザーが利用する携帯電話に個々に付されている端末ＩＤと当該携帯電話端末により過去に検索された出版物ＩＤとを関連付けて記憶するデータベースである。具体的には、携帯電話個々の端末ＩＤにより過去に記事の検索がなされた出版物について、出版物ＩＤ（号数を含めた出版物ＩＤ）、検索日時とを関連付けて記憶する。
【００３３】
次に、本検索システムで用いられる携帯電話端末について説明する。携帯電話端末７は、上記のようにネットワーク５に接続して、ｗｅｂを表示可能なものであって、さらに本１００に掲載されている２次元コードを撮影し、当該コードを復号する機能及び２次元コードに格納されている検索条件を読み込んで条件式を自動的に作成する機能が必要である。具体的な構成としては、図８に示すように、液晶パネルなどで構成された表示部２１、携帯電話端末全体の機能を制御、演算する制御演算部２２、通話機能のための通話部２３、携帯電話端末の操作に用いられる操作キー２４、上記当該コードを復号する機能及び２次元コードに格納されている検索条件を読み込んで条件式を自動的に作成する機能などを実現するためのプログラムを含むシステムプログラム２５、ネットワーク５を介してデータ又は信号を送受信する送受信部２６、本検索システムにおいてデータを一時的に記憶する記憶部２７、２次元コードを光学的に撮影可能なデジタルカメラ２８を備える。
【００３４】
本検索システムで用いられる本１００は、図９に示すような検索ページを備える。検索ページ１０１は、２次元コードとしてＱＲコードを用いたものである。ＱＲコードは、記事ごとに付された特性に関する情報に従って分類されて掲載されている。たとえば、検索条件１０３としては、予算１０４、予算１０６、場所１０８、誰と行く１１０、その他１１２の特性に分類されて掲載される。また、各特性分類中に掲載されているＱＲコードは、検索に用いられる異なる検索条件を符号化して表示する。たとえば、予算１０４の特性分類には、１０００円代、２０００円代、３０００円代、４０００円代の４つのＱＲコードが設けられている。
【００３５】
検索条件入力のＱＲコード１０２は、２次元コードに格納されている検索条件を読み込んで条件式を自動的に作成する機能検索式を自動作成するためのプログラムを起動させると共に、当該本の識別を行うためのコードである。また、位置検索１１４の分類に掲載されているＱＲコード１１５は、携帯電話端末の位置を検索条件として加え、現在携帯電話端末が存在する場所から近い場所に位置する飲食店を検索するためのフラグをつけるコードである。また、検索開始１１６に掲載されているＱＲコード１１７は、検索式の作成を終了し、作成された検索式を所定のアクセス先に送信する処理を開始するためのコードである。検索条件入力１０２、位置検索１１５、検索開始１１６についてのＱＲコードについての詳細は後述する。
【００３６】
また、本検索システムで用いられる本１００は、図１０に示すように、場所ごとに分類して飲食店を紹介する記事掲載ページ１２１を備える。記事掲載ページ１２１は、飲食店の場所という１の特性１２２にしたがって飲食店を分類してその店情報を掲載すると共にその欄外に、検索のために用いられるＱＲコードが掲載されている。記事掲載ページ１２１の欄外に掲載されているＱＲコードは、たとえば、予算や料理といった場所以外の他の特性に従って分類されたコードが掲載されており、このコードには分類された検索条件と、１の特性の検索条件が共に符号化されている。図１０の例では、記事紹介ページは、場所が新宿である飲食店を分類して掲載するページであって、当該欄外に掲載されているＱＲコードには、いずれも場所が新宿であることの検索条件と欄外の分類（予算又は料理）の検索条件とが共に符号化されて表示されている。
【００３７】
また、本検索システムで用いられる本１００は、図２５に示すように、店舗の位置を示すための地図を掲載する地図掲載ページを備える。当該地図掲載ページは、店舗の検索において、位置検索により指定エリアを入力するために用いられる。当該位置検索については後述する。
【００３８】
次に本検索システムを用いて記事の検索を行う手順について説明する。図１１は、検索しようとする者（以下検索者と略記する。）が行う作業と携帯電話端末での動作処理を示すフローである。まず、検索者は、携帯電話端末の操作キー２４を操作して図１４に示す読み出し画面を読み出し、携帯電話端末のＱＲコード読み取りのプログラムを起動させる。ＱＲコード読み取りプログラムは、携帯電話端末のカメラによりＱＲコードを撮影し、当該コードに含まれている情報を文字情報などに変換するプログラムである。
【００３９】
ＱＲコード読み取りプログラムが起動すると、カメラ撮影可能な状態となる。この状態で検索者は、図１５に示すように検索ページ１０１又は記事掲載ページ１２１に掲載されている検索条件入力のＱＲコード１０２，１２５をカメラで撮影する。すると、携帯電話端末では、２次元コードに格納されている検索条件を読み込んで条件式を自動的に作成する機能検索式を自動作成するための変換プログラムを起動させ、当該本を特定する識別情報を読み込んだ検索式を作成する。その後、他の検索条件の入力待ちの状態となる（＃２０）。このときの画面表示例を図１６に示す。携帯電話端末の表示部２１には、検索条件の入力のためのＱＲコードの入力を求める表示がなされ、引き続いて撮影可能な状態に画面が切り変わる。
【００４０】
ついで、検索者は、当該画面２１ｃの指示に従って、所望する特性分類の中から該当する検索条件を示すＱＲコードを撮影する。たとえば、予算１０４が４０００円代の条件で検索したい場合は、検索ページ１０１のＱＲコード１０５又は記事掲載ページ１２１のＱＲコード１２７を撮影する（図１７参照）。すると、携帯電話端末は変換プログラムを作動させ、当該ＱＲコードの画像データから検索条件、予算が「４０００円代」との条件式を作成し記憶部２７に記憶する（＃２１）。なお、記事掲載ページ１２１のＱＲコード１２７を撮影した場合は、予算の検索条件に加え、場所が「新宿」との検索条件を追加して作成する。なお、入力された検索式の情報は、携帯電話端末の記憶部２７に記憶される。
【００４１】
記憶部２７への記憶が完了すると、図１８、図１９に示すように、確認画面が表示される。確認画面には、「続けて撮影する」４１、「検索一覧を見る」４２、「検索を実行する」４３の各選択メニューが設けられており、検索条件をさらに付加したい場合は、図１８に示すように「続けて撮影する」４１のメニューを選択する。当該メニューを選択した場合は、撮影可能な状態に画面が切り変わり、上記と同様に他の検索条件を示すＱＲコードを撮影する。
【００４２】
検索者は追加の検索条件がある場合（＃１２）は、検索ページ１０１又は記事掲載ページから所望の検索条件を示すＱＲコードを撮影し、検索式を追加する。このとき追加される検索式は、先に入力された検索条件の次の検索条件に加えられる。すなわちたとえば、先に予算４０００円代の検索式の入力後、料理が「和食」のＱＲコードを撮影した場合は、予算「４０００円代」及び料理「和食」の検索式が入力される。また、先に場所「新宿」の検索式の入力後、場所「渋谷」の検索式を入力した場合、検索条件としては、場所「新宿」と「渋谷」との双方を含む店舗を検索できる。
【００４３】
所望のＱＲコードをすべて撮影し、追加する検索条件がなく、検索条件の一覧を確認したい場合は、図１９に示すように「検索一覧を見る」４２のメニューを選択する。検索条件の確認を行わず、すぐに検索を開始する場合は、「検索を実行する」４３のメニューを選択する。
【００４４】
「検索一覧を見る」４２のメニューが選択されると、携帯電話端末は記憶部２７に格納されている検索条件を読み出し、図２０に示すような検索一覧の確認画面２１ｇを表示する。検索一覧の確認画面には、先のステップで入力した検索条件の一覧が表示されている。検索者はこの検索条件でよいかを確認し、検索条件を追加したい場合は、「続けて撮影する」のメニュー４４を選択し、検索を実行する場合は、「検索を実行する」のメニュー４５を選択し、上記と同様にして検索条件の入力を行う。
【００４５】
携帯電話端末は、検索条件入力受付確認画面２１ｆ又は検索一覧の確認画面２１ｇにおいて検索実行のメニューが選択される（＃１３）と、検索結果の表示配列順の選択画面２１ｈを表示させる。当該選択画面２１ｈは、検索された店舗の情報をどのように配列して表示させるかを選択する画面であり、「掲載順」４６、「現在地に近い順」４７、「指定エリアに近い順」４８のメニューが設けられている。
【００４６】
選択画面で「掲載順」４６又は「現在地に近い順」４７のいずれかのメニューが選択されると、上記変換プログラムにより検索式を確定すると共に、記憶部２７に格納されている検索式を所定のアクセス先である管理サーバ２へ送信する。送信が終了した後、変換プログラムを終了させる。このときの画面表示例を図２２に示す。
【００４７】
一方、選択画面で「指定エリアに近い順」４８のメニューが選択された場合は、上記変換プログラムにより検索式を確定すると共に、図２４に示す指定エリア選択指示画面２１ｊを表示し、検索者に指定エリアの選択を求める。
【００４８】
検索者が行う指定エリアの選択は、本１００に掲載されている地図により行う。図２５は、本１００に掲載されている店舗の位置を示すための地図を掲載する地図掲載ページの例である。地図掲載ページに掲載されているは、一枚の地図を複数のエリアに分割した地図であり、それぞれ分割された各エリアにはＱＲコードが付されている。このＱＲコードは、地図データベースにより特定された地図ＩＤと分割されたエリアのＩＤとを含んでおり、検索者は、指定エリアの選択を行う場合は、当該地図に付されているＱＲコードを撮影することにより、指定エリアを特定する。
【００４９】
指定エリアのＱＲコードを撮影すると、特定された指定エリアの情報は、記憶部２７に格納され、図２６に示す確認画面２１ｋが表示される。当該確認画面２１ｋにおいて、「検索を実行する」メニュー４９が選択されると、携帯電話端末は、記憶部２７に格納されている検索式及び指定エリアの情報を送信し、変換プログラムを終了させた後、図２２に示す画面を表示する。
【００５０】
図１２は、携帯電話端末７から検索式を送信された場合の電話会社サーバの処理のフローである。電話会社サーバ３は、携帯電話端末からの検索式の送信の情報を受信（＃３０）すると、当該携帯電話端末がどの基地局６と交信しているかの情報を確認し、検索式に当該基地局を特定するための情報を付加する（＃３１）。その後、基地局を特定するための情報を付加した検索式を管理サーバ２へ送信する（＃３２）。なお、基地局６の情報は、検索者が位置検索を行うために、「現在地に近い順」４７のメニューを選択した場合に行われ、これ以外のメニューが選択されたときはこの処理は行われない。すなわち、携帯電話端末からの検索式に関する情報を受信した電話会社サーバ３は、アクセス先である管理サーバ２へ検索式の情報を基地局の情報を付加することなく送信する。
【００５１】
図１３は、検索式の情報を受信した管理サーバ２の処理動作のフローである。管理サーバ２は、電話会社サーバ３を介して携帯端末からの検索式を受信（＃４０）すると、まず、検索式に含まれる出版物ＩＤの情報から検索の対象となっている出版物及び必要に応じてその号数を特定する（＃４１）。出版物の特定が行われると、管理サーバ２は、記事データベース１７から検索の対象となっている出版物を特定し、検索の準備を行う。ついで、管理サーバ２は、検索条件に基づいて、当該出版物に掲載されている店舗であってかつ店舗データベース１６に格納されている店舗の情報から検索式に示されている検索条件に適合する店舗を特定する（＃４２）。
【００５２】
このときの処理としては、まず、記事データベースに含まれる店舗ＩＤに基づいて店舗データベース１６の店舗を抽出し、その後当該抽出された店舗について検索条件による抽出を行うようにすればよい。このように、まず記事データベースに含まれる店舗ＩＤに基づいて検索条件の対称となる店舗を選択することにより、検索条件による検索処理を早く行うことができる。
【００５３】
なお、検索条件に位置検索が含まれている場合は、基準となる位置を特定する（＃４４）。
【００５４】
図２３に、位置検索が含まれている場合の基準位置の特定の処理の流れを示す。図２１に示す選択画面２１ｈで「現在地に近い順」４７のメニューが選択されている場合は、上記＃３１ステップにおいて検索式に付加された当該基地局を特定するための情報を受信し（＃５１）、この情報に基づき、基地局データベース１８に格納されている基地局の緯度、経度情報を読み出す（＃５２）。
【００５５】
一方、「指定エリアに近い順」４８のメニューが選択されている場合は、検索者が入力した地図及びその地図中の位置を特定するための情報（指定エリア情報）を受信し（＃５２）、この情報に基づき、地図データベース１５に格納されている当該指定エリアの緯度、経度情報を読み出す（＃５４）。
【００５６】
基準位置の緯度、経度情報を読み出した（＃５２、＃５４）後、基準位置の緯度、経度情報及び、当該基準位置から上記検索処理によって選択された店舗に関して店舗データベースに格納されている店舗の緯度、経度情報に基づいて、上記基準位置から店舗までの直線距離を演算する（＃４５）。
【００５７】
次いで、当該店舗を表示する順序の配列を行う（＃４６）。当該表示順序は、位置検索がなされている場合は、上記基準位置からの距離の近い順に配列することが好ましい。一方、位置検索がなされていない場合は、記事の掲載ページ順に配列される。ただし、この配列順は特に限定されることなく、適宜変更することができる。たとえば、予算の安い順などを例示することができる。
【００５８】
管理サーバ２は、抽出店舗の配列を決定すると、携帯電話端末７に表示するための出力情報ページを作成する（＃４７）。出力情報ページは、記事データベースに格納されている掲載位置に関する情報と、その記事の対照となっている飲食店の名称のみを含め、その情報量を携帯電話端末にも表示可能な程度に少なくしている。その後、当該作成された出力情報ページを携帯電話端末７に送信する。携帯電話端末は、図２７に表示例を示す出力情報ページを画面に表示する。
【００５９】
出力情報ページ２１Ｌには、検索された店舗の情報が上記処理により選択された掲載ページ順又は基準位置からの距離順に掲載される。また、出力情報ページ２１Ｌには、「他の本も探す」メニュー５０が設けられており、当該メニューを選択すると、先のステップで入力された検索条件をそのまま用い、ユーザーデータベース２０に格納されている当該携帯電話端末の端末ＩＤと対応付けられた出版物について同様に検索を行う。
【００６０】
具体的には、「他の本も探す」メニューが選択され、当該情報が管理サーバ２に送信されると、管理サーバ２は、端末ＩＤの情報を受信し、ユーザーデータベース２０に格納されている当該受信した端末ＩＤと対応付けられている出版物ＩＤを読み出す。その後、当該出版物ＩＤにより特定された出版物を記事データベース１７より読み出し、先の検索において入力した検索条件に基づいて、#４２と同様の処理により当該出版物に掲載されている店舗であってかつ店舗データベース１６に格納されている店舗の情報から検索式に示されている検索条件に適合する店舗を特定する。
【００６１】
以上説明したように、本発明によれば、検索者は、ＱＲコードを撮影するという手軽な動作により、複数の検索条件を適宜に組み合わせて任意の検索条件に適合する店舗の情報を選択することができる。また、検索結果の情報を掲載位置に関する情報としているため、出力データが小さく、携帯電話端末を用いて記事の検索を行うことができる。
【００６２】
また、ＱＲコードの掲載に用いられる分類は、多様な分類特性に基づいて行われているため、検索時において当該ＱＲコードを適宜選択することにより、広い分類から狭い分類まで記事の選択の程度を任意に変更することができ、検索目的に応じた多様な検索を行うことができる。たとえば、多くの記事を見たい場合は、選択する検索コードの数を少なくする一方、絞りをかけて特定の少数の記事を見たい場合は、選択する検索コードを多くするなど、検索者の意図に沿った検索を行うことができる。
【００６３】
なお、本発明は上記実施形態に限定されるものではなく、その他種々の態様で実施可能である。特に、検索される対象が異なることにより管理サーバ２のデータベース構成を適宜設計することができる。また、上記実施形態のように飲食店の検索を行う場合であっても、データベースの構成を適宜変更することができる。たとえば、上記実施形態では、店舗データベースを用い、記事データベースには、店舗データベースにより特定された店舗のＩＤのみを掲載するようにしているが、両方のデータベースの機能を１つのデータベースで構成し、たとえば、記事データベースに当該店舗の特性情報（予算や料理などの情報）を格納するようにしてもよい。
【図面の簡単な説明】
【００６４】
【図１】本発明の一実施形態に係る本を用いた検索システムの概略構成を示すブロック図である。
【図２】図１の検索システムに用いられる管理サーバの概略構成を示すブロック図である。
【図３】図２の管理サーバの出版物データベースの構成を示す図である。
【図４】図２の管理サーバの地図データベースの構成を示す図である。
【図５】図２の管理サーバの店舗データベースの構成を示す図である。
【図６】図２の管理サーバの記事データベースの構成を示す図である。
【図７】図２の管理サーバのユーザーデータベースの構成を示す図である。
【図８】図１の検索システムに用いられる携帯電話端末の概略構成を示すブロック図である。
【図９】図１の検索システムに用いられる本の検索ページの例を示す図である。
【図１０】図１の検索システムに用いられる本の記事掲載ページの例を示す図である。
【図１１】検索者が行う作業と携帯電話端末での動作処理を示すフローである。
【図１２】携帯電話端末から検索式を送信された場合の電話会社サーバの処理のフローである。
【図１３】検索式の情報を受信した管理サーバ２の処理動作のフローである。
【図１４】検索処理を開始する場合のＱＲコード読み取りプログラムの起動画面の画面表示例である。
【図１５】変換プログラム起動のためのＱＲコード撮影状態の画面表示例である。
【図１６】変換プログラムが起動し、検索条件の入力待ちの状態にある携帯電話端末の表示部の画面表示例である。
【図１７】検索条件入力のためのＱＲコード撮影状態の画面表示例である。
【図１８】検索条件入力受付確認の画面表示例である。
【図１９】検索条件入力受付確認の画面表示例である。
【図２０】検索一覧確認画面の画面表示例である。
【図２１】検索結果の表示配列順の選択画面の画面表示例である。
【図２２】変換プログラムが終了し、検索結果待ちの状態にある携帯電話端末の表示部の画面表示例である。
【図２３】位置検索を行う場合の電話会社サーバの処理のフローである。
【図２４】指定エリア選択指示画面の画面表示例である。
【図２５】図１の検索システムに用いられる本の地図掲載ページの例を示す図である。
【図２６】指定エリア選択確認画面の画面表示例である。
【図２７】検索結果が表示された出力情報ページの画面表示例である。
【符号の説明】
【００６５】
１  検索システム
２  管理サーバ
３  電話会社サーバ３
４  出版社端末４
５  インターネット
６  基地局
７  携帯電話端末
１１  送受信部
１２  制御演算部
１３  記憶部
１４  出版物データベース
１５  地図データベース
１６  店舗データベース
１７  記事データベース
１８  基地局データベース
１９  システムプログラム
２１  表示部
２２  制御演算部
２３  通話部
２５  システムプログラム
２８  カメラ
１００  本
【図１】
2005321879.tif 000003
【図２】
2005321879.tif 000004
【図３】
2005321879.tif 000005
【図４】
2005321879.tif 000006
【図５】
2005321879.tif 000007
【図６】
2005321879.tif 000008
【図７】
2005321879.tif 000009
【図８】
2005321879.tif 000010
【図９】
2005321879.tif 000011
【図１０】
2005321879.tif 000012
【図１１】
2005321879.tif 000013
【図１２】
2005321879.tif 000014
【図１３】
2005321879.tif 000015
【図１４】
2005321879.tif 000016
【図１５】
2005321879.tif 000017
【図１６】
2005321879.tif 000018
【図１７】
2005321879.tif 000019
【図１８】
2005321879.tif 000020
【図１９】
2005321879.tif 000021
【図２０】
2005321879.tif 000022
【図２１】
2005321879.tif 000023
【図２２】
2005321879.tif 000024
【図２３】
2005321879.tif 000025
【図２４】
2005321879.tif 000026
【図２５】
2005321879.tif 000027
【図２６】
2005321879.tif 000028
【図２７】
2005321879.tif 000029